(57)【要約】【課題】バッテリ搭載のプロジェクタにおいて、バッテリ残量が少ない状態であると長時間使用できない。長時間使用するためには、手動で明るさ設定(暗く)や解像度設定(低解像度)をするなど、操作が煩わしい。【解決手段】バッテリ残量の検出手段を有し、その残量情報に応じてEDIDデータの内容を一時的に書き換え(変更)を行う。具体的には、残量が少なくなるほど対応解像度情報を低解像度(画素クロック周波数小)に設定する。その結果、フロントエンド映像信号処理部の動作クロック周波数が下がり低消費電力化が可能となる。さらに、低解像度になったことにより表示エリアが小さくなるため、不要なエリアの光源をOFFすることも連動する【選択図】  図１
2015145889.tif 000002
【特許請求の範囲】
【請求項１】
バッテリ駆動のプロジェクタにおいて、
表示に関する仕様情報が含まれたディスプレイ情報(EDID)を格納するディスプレイ情報記憶手段と、
前記ディスプレイ情報記憶手段のデータを随時変更可能なディスプレイ情報変更手段と、
バッテリの残量を検出する電源残量検出手段と、  
前記ディスプレイ情報に含まれる信号フォーマット情報と消費電力の関係を示した信号フォーマット消費電力関係情報と、
を有し、
上記電源残量検出手段の結果から、上記信号フォーマット消費電力関係情報を用いて、
上記ディスプレイ情報(EDID)における一部の情報の内容を変更することを特徴とする表示装置。
【請求項２】
前記ディスプレイ情報(EDID)の変更によって変化した入力信号フォーマットに応じて、光源の点灯領域を変更することを特徴とする請求項１に記載の表示装置。
【発明の詳細な説明】
【技術分野】
【０００１】
本発明は、投射型表示装置に関し、特にバッテリ搭載の投射型表示装置に関するものである。
【背景技術】
【０００２】
近年、プロジェクタは、持ち運びが可能なサイズからポケットサイズに至るまで、小型化、軽量化が著しく進んでいる。そのような仕様のプロジェクタの供給電源としては、ポータブル性を考慮して、商用電源でなくバッテリなどの蓄電池を使用するものがほとんどである。しかし、プロジェクタは表示光源に多くの電力が使用されることから、供給電源としてバッテリを搭載するシステムとなると、
・バッテリ残量が少ない状態では使用時間に制限が出てくる。
【０００３】
・上記理由から、長時間使用するためには、ユーザーが手動で明るさ設定(暗く)や解像度設定(低解像度)などの省電力となる設定への変更を行う必要があり、操作が煩わしい。
【０００４】
・上記で設定できたとしても、必ずしもその設定が長時間使用できる設定かどうか、つまり最適な設定かどうかが明確ではない。
などが生じてくる。
【０００５】
上記のような場合を解消する方法の1つとして、特許文献１では、バッテリ残量に応じて信号処理の階調数を減らして省電力化を図る、という技術が開示されている。また、特許文献２では、バッテリ残量に応じて、フレームレートや表示画サイズを変更して省電力化を図る、という技術が開示されている。
【先行技術文献】
【特許文献】
【０００６】
【特許文献１】特開2003-280627号公報
【特許文献２】特開2007-036702号公報
【発明の概要】
【発明が解決しようとする課題】
【０００７】
しかしながら、上述の特許文献１に開示された従来技術では、階調数を減らすことで若干の消費電力低減は可能であるが、ごく小さな値でしか見込めない。
【０００８】
また、上述の特許文献２に開示された従来技術では、フレームレートを下げることで低消費電力化は図れるが、フレームレートを下げすぎると表示画像にフリッカが発生してしまうため限界がある。また、入力信号の解像度に関係なく画像サイズを小さくしてしまうためスケーリング処理が入り、画質劣化も伴う可能性がある。
【０００９】
そこで、本発明の目的は、上記の課題を解決すべく、バッテリの残量に応じて省電力化を図ることを可能にした投射型表示装置を提供することである。
【課題を解決するための手段】
【００１０】
上記目的を達成するために、本発明は、
１．バッテリ駆動のプロジェクタにおいて、
表示に関する仕様情報が含まれたディスプレイ情報(EDID)を格納するディスプレイ情報記憶手段と、
前記ディスプレイ情報記憶手段のデータを随時変更可能なディスプレイ情報変更手段と、
バッテリの残量を検出する電源残量検出手段と、  
前記ディスプレイ情報に含まれる信号フォーマット情報と消費電力の関係を示した信号フォーマット消費電力関係情報と、
を有し、
上記電源残量検出手段の結果から、上記信号フォーマット消費電力関係情報を用いて、
上記ディスプレイ情報(EDID)における一部の情報の内容を変更するを特徴とする。
さらに、
２．前記ディスプレイ情報(EDID)の変更によって変化した入力信号フォーマットに応じて、光源の点灯領域を変更することを特徴とする。
【発明の効果】
【００１１】
本発明によれば、バッテリ残量が少なくなった状態においても、極力長時間使用が可能なように自動的に省電力化を図ることを可能にした投射型表示装置を提供することができる。
【図面の簡単な説明】
【００１２】
【図１】第1の実施例を示すブロック図
【図２】本実施例におけるEDIDメモリ部を示すブロック図
【図３】本実施例における信号フォーマット消費電力対応リストを示したテーブル
【図４】一般的なEDIDデータのフォーマットを示した図
【図５】本実施例における全体の処理フローを示したフローチャート
【図６】本実施例における最適入力フォーマット決定の手順を示したフローチャート
【図７】入力信号フォーマットと光源点灯エリアの関係を示した図
【図８】最適入力フォーマット決定の手順に関して具体的な方法を示した第1の図
【図９】最適入力フォーマット決定の手順に関して具体的な方法を示した第2の図
【発明を実施するための形態】
【００１３】
以下に、本発明の好ましい実施の形態を、添付の図面に基づいて詳細に説明する。図１は、本発明の実施形態にかかわるプロジェクタを示した図である。
【００１４】
［実施例］
以下、図１を参照して本発明の実施例によるプロジェクタについて説明する。
【００１５】
入力映像信号は、入力信号フォーマット検出部１１を経由し、映像信号処理部１２に入力される。入力信号フォーマット検出部１１では、同期信号の周期および極性から信号フォーマット(解像度、フレーム周波数)の検出を行う。また、映像信号処理部１２では、解像度変換、フレームレート変換、台形補正処理、色処理などの一連の映像信号処理が行われる。映像信号処理部１２で処理された信号は、パネルドライバ１３にて表示パネル２０を駆動するのに適した形式に変換される。表示パネル２０に表示された画像は、ＬＥＤ面光源１４によって投射される。ここで面光源はＬＥＤに限定したものではなく、例えば有機ＥＬ等のようにＥＬ素子でもよい。
【００１６】
バッテリ１７はプロジェクタ１全体の電源供給源であり、電源回路１８によって各回路ブロックの電源が生成される。バッテリ残量検出部１６は、バッテリ１７の残量がどの程度かを検出する機能を有し、常時バッテリ１７の残量を監視している。EDID-ROMブロック１０は、ディスプレイ情報であるEDIDデータを格納したメモリであり、映像ソースからのDDC_I2Cバス２１ａ、およびマイコン１９からのMPU_I2Cバス２１bの両方からアクセスできるような構成になっている。マイコン１９は各回路ブロックを一括して制御、管理する演算処理装置（ＭＰＵ）である。具体的にはバッテリ残量検出部１６、入力フォーマット検出部１１、信号フォーマット消費電力対応リスト１５、からの情報を受け、EDID-ROM１０やＬＥＤ面光源１４の制御を行う。
【００１７】
この具体的制御に関しては後ほど説明する。
【００１８】
以下に、EDID-ROMブロック１０の詳細な構成について説明する。図２はEDID-ROMブロックの構成を示した図である。データ格納部であるROM３１とセレクタ３０で構成される。セレクタ３０は、映像ソース機器からのDDC_I2Cバス２１ａとマイコン１９からのMPU_I2Cバス２１ｂの切り替えを行い、ROM３０との接続状態を選択する。通常動作時には映像ソース機器がEDID-ROMにアクセスを行うためDDC_I2Cバス２１ａ側が選択される。一方、マイコン１９がROM３０の内容（EDIDデータ）の書き換えを行う場合には、MPU_I2Cバス２１ｂ側が選択される。セレクタ３０の切り替えはマイコン１９が制御する。
【００１９】
次に、本発明の実施例における具体的処理方法に関して、図５のフローチャートに基づいて説明する。下記＜Ｓ１１＞〜＜Ｓ１７＞は、図５における各処理に対応している。
【００２０】
＜Ｓ１１＞
バッテリ残量検出部１６がバッテリ１７の残量(VTrem[%])を検出する。バッテリ残量がある所定の値以上減少したかどうかを判断。減少した場合は＜Ｓ１２＞に遷移。減少しない場合は＜Ｓ１１＞を繰り返し。
【００２１】
＜Ｓ１２＞
ここでは、バッテリ残量に応じた最適な入力フォーマット情報を決定する。
【００２２】
＜Ｓ１２−１＞
マイコン１９が入力フォーマット検出部１１から現在入力されている信号フォーマット情報を取得する(Format_Current)。
【００２３】
＜Ｓ１２−２＞
マイコン１９がバッテリ残量検出部１６から現在の残量情報を取得する（VTrem）。
【００２４】
＜Ｓ１２−３＞
上記２つの情報（Format_Current、VTrem）および、信号フォーマット消費電力対応リスト１５を用いて、現在のバッテリ残量にとって最適な入力信号フォーマット情報を決定する。（Format_Best）。
【００２５】
信号フォーマット消費電力対応リスト１５の一例を図３に示す。このリストには、各信号フォーマット毎に「ＩＤ」、「対応最適バッテリ残量」「消費電力パラメータ」、「信号フォーマット」「対応ＥＤＩＤデータ」が対応づけされている。「消費電力パラメータ」は、該信号フォーマットが入力されたときに回路が消費される消費電力を数値化にしたものであり、値が大きいほど消費電力が大きいことを示す。「対応最適バッテリ残量」は、ある所定のバッテリ残量における理想的な入力信号フォーマットを対応付けたものである。具体的にはある所定のバッテリ残量にて長時間(例えば連続3時間)使用可能となる信号フォーマットを、そのバッテリ残量における最適な信号フォーマットと定義付けを行う。このリストにおいては、「消費電力パラメータ」が小さい順に「ＩＤ」がつけられている。
【００２６】
信号フォーマット消費電力対応リスト１５を使用した最適入力信号フォーマット決定方法の具体的方法に関しては後ほど説明する。
【００２７】
＜Ｓ１３＞
＜Ｓ１２＞で決定した最適入力信号フォーマット情報（Format_Best）を元に、ＥＤＩＤデータの変更を行う。
【００２８】
ＥＤＩＤデータの内容の一例を図４に示す。図４に沿ってどの部分の情報を変更するかを説明する。
【００２９】
前半部分(Address00h〜)はヘッダや基本的内容が記述されており、後半部分(Address23h〜)が信号フォーマットに関する情報を示している。Address23h：Established TimingはVESAの基本タイミングしか記述されていないので、本実施例にて変更する部分は、Address26h：Stamdard Timing Identification ♯1である。この部分に対して、＜Ｓ１２＞で決定した最適入力信号フォーマット（Format_Best）に対応する情報の書き換えを行う。
【００３０】
上記情報の書き換え動作は、マイコン１９が行う。具体的シーケンスとしては、
＜Ｓ１３−１＞
ＥＤＩＤのバス切り替え制御信号：ＥＤＩＤ−ＳＥＬをMPU_I2C側(マイコン１９側)に切り替える。
【００３１】
＜Ｓ１３−２＞
現在の書き換え対象箇所の情報（ＥＤＡＴ＿ＯＲＧ）を読み込み、メモリに格納しておく。
【００３２】
＜Ｓ１３−３＞
書き換え対象箇所に対して、＜Ｓ１２＞で決定した最適フォーマット情報（ＥＤＡＴ＿ＮＥＷ）に書き換える。
【００３３】
＜Ｓ１３−４＞
ＥＤＩＤのバス切り替え制御信号：ＥＤＩＤ−ＳＥＬをDDC_I2C側(ソース機器側)に切り替える。
【００３４】
＜Ｓ１４＞
マイコン１９はホットプラグ信号をＨ→Ｌ→Ｈに変化させ、映像ソース機器に対してホットプラグリセットを実行する。これにより、ソース機器は、EDID-ROM１０に対して再度読み込み動作を行う。
【００３５】
＜Ｓ１５＞
＜Ｓ１５−１＞
マイコン１９が入力フォーマット検出部１１から現在入力されている信号フォーマット情報を取得する(Format_Current)。
【００３６】
＜Ｓ１５−２＞
現在の信号フォーマット情報(Format_Current)から解像度情報を算出し、その解像度と表示パネル２０の解像度を比較する。
【００３７】
その結果に応じて、
[ＣａｓｅＡ] 入力信号解像度 ＞  表示パネル解像度
・入力信号を解像度変換（スケーリング）を行い表示パネル２０全体へ表示
[ＣａｓｅＢ] 入力信号解像度 ＜  表示パネル解像度
・入力信号を解像度変換無しで表示パネル２０へ表示
・ＬＥＤ面光源１４の点灯エリアを表示パネルの有効表示エリアに応じて変更する
の処理を行う。
【００３８】
図７は上記処理を図示したもので、図７（ａ）がＣａｓｅＡの時、図７（ｂ）がＣａｓｅＢのときを示している。このようにＣａｓｅＢの時には、ＬＥＤ面光源の点灯エリアを制御することで、省電力化を図る。
【００３９】
＜Ｓ１６＞
マイコン１９が点灯終了の要求があるかどうか(ボタンが押されたかどうか)を確認する。
点灯終了の要求がなければ、＜Ｓ１１＞へ戻る。点灯終了要求があれば光源を消灯し、＜Ｓ１７＞へ遷移する。
【００４０】
＜Ｓ１７＞
ＥＤＩＤデータを初期値（＜Ｓ１３−２＞にてメモリに格納したデータ）に戻す。具体的な手順は以下のとおり。
【００４１】
＜Ｓ１７−１＞
ＥＤＩＤのバス切り替え制御信号：ＥＤＩＤ−ＳＥＬをMPU_I2C側(マイコン１９側)に切り替える
＜Ｓ１７−２＞
書き換え対象箇所に対して、メモリに格納してあるＥＤＩＤデータ（ＥＤＡＴ＿ＯＲＧ）に書き換える。
【００４２】
＜Ｓ１７−３＞
ＥＤＩＤのバス切り替え制御信号：ＥＤＩＤ−ＳＥＬをDDC_I2C側(ソース機器側)に切り替える。ＥＤＩＤデータを初期値に戻す処理が完了したら、電源をＯＦＦして終了。
【００４３】
以上が、本発明の実施例における全体の処理方法に関してである。
【００４４】
最後に、上述の処理フロー＜Ｓ１２＞において、信号フォーマット消費電力対応リスト１５を使用して、最適入力信号フォーマットを決定する方法の一例に関して詳細説明する。
【００４５】
図６は、＜Ｓ１２−３＞の部分の詳細フローを示したフローチャートである。そのフローチャートにしたがって処理フローを説明する。
【００４６】
＜Ｓ２０＞
現在の入力信号フォーマット(Format_Current)から、「信号フォーマット消費電力対応リスト」にて現在の入力信号のＩＤを算出(ＩＤ_Current)。
【００４７】
＜Ｓ２１＞
現在のバッテリ残量(VTrem)から、「信号フォーマット消費電力対応リスト」にて理想的なＩＤを算出(ＩＤ_Target)。
【００４８】
＜Ｓ２２＞
上記のID_CurrntとID_Targetが同じ解像度であるかどうかを判断する。ここでの解像度とは１フレームを構成する有効画素数(縦横)のことであり、ブランキング情報は含まない。解像度が同じであれば＜Ｓ２２＞に遷移、異なれば＜Ｓ２４＞に遷移する。
【００４９】
＜Ｓ２３＞
最適なID：ID_Best＝ID_Target、信号フォーマットをFormat_Best=Format_Targetに変更を行い、終了。
【００５０】
＜Ｓ２４＞
ID_Current〜ID_Targetの間で、ID_Currentと同じ解像度はあるかを判定する。同じ解像度があれば、＜Ｓ２５＞に遷移、なければ＜Ｓ２7＞遷移する。
【００５１】
＜Ｓ２５＞
＜Ｓ２４＞で同じ解像度の信号フォーマットの中で、ID_Targetに近い信号フォーマットをFormat_Sub、そのIDをID_Subとする。
【００５２】
＜Ｓ２６＞
最適な信号フォーマットをFormat_Best=Format_Sub、IDをID_Best=ID_Subとする。
【００５３】
＜Ｓ２７＞
表示解像度を変化させて良いかどうかをメニュー等で表示を行い、ユーザーにＯＫ，ＮＧの判断を決定してもらう。変更ＯＫであれば、＜Ｓ２３＞へ遷移、変更を求めないのであれば＜Ｓ２８＞へ遷移。
【００５４】
＜Ｓ２８＞
フォーマットを変更しない処理を行う。つまり、Format_Best=Format_Current、ID_Best=ID_Currentとする。
【００５５】
ここで、図６に示された処理フローを更に具体的に示すために、２つの具体的例を挙げて説明する。
【００５６】
＜第１の例の条件＞
現在の入力信号フォーマット＝1400x1050@85Hz
バッテリ残量が変化をし、60％と検出された  場合
図８は上記第１の具体例を示した信号フォーマット消費電力対応リストである。
これをもとに、実際に図６のフローチャートにてどのような処理が行われるかを説明する。
【００５７】
＜Ｓ２０＞
現在の信号フォーマットが1400x1050@85Hzであるので、
Fromat_Current=1400ｘ1050@85Hz、ID_Current=53
となる。
【００５８】
＜Ｓ２１＞
VTrem=60%であることから、ID_Target=48と算出される。
【００５９】
＜Ｓ２２＞
ID_Currentの解像度は1400x1050、ID_Targetの解像度は1366ｘ768であるので、解像度が異なるため、＜S24＞へ遷移。
【００６０】
＜Ｓ２４＞
ID_Current(＝53)〜ID_Target(＝48)の間にID_Currentと同じ解像度は1400ｘ1050@75Hz、1400ｘ1050@60Hzが存在するので、＜Ｓ２５＞に遷移。
【００６１】
＜Ｓ２５＞
上記の中で、ID_Targetに近い信号フォーマットは1050x1050@60Hzであるので、
Format_Sub＝1400x1050@60Hz、ID_Sub＝49
となる。
【００６２】
＜Ｓ２６＞
最適な信号フォーマットとして、
Format_Best=1400x1050@60Hz
を決定。
【００６３】
次に、第2の例について具体的方法を説明する。
【００６４】
＜第２の例の条件＞
現在の入力信号フォーマット＝1400x1050@60Hz
バッテリ残量が変化をし、58％と検出された  場合
図９は具体的例を示した信号フォーマット消費電力対応リストである
＜Ｓ２０＞
現在の信号フォーマットが1400x1050@60Hzであるので、
Fromat_Current=1400ｘ1050@60Hz、ID_Current=49
となる。
【００６５】
＜Ｓ２１＞
VTrem=58%であることから、ID_Target=47と算出される。
【００６６】
＜Ｓ２２＞
ID_Currentの解像度は1400x1050、ID_Targetの解像度は1366ｘ768であるので、解像度が異なるため＜S24＞へ遷移。
【００６７】
＜Ｓ２４＞
ID_Current(＝49)〜ID_Target(＝47)の間で、ID_Currentと同じ解像度はないので、＜Ｓ２７＞に遷移。
【００６８】
＜Ｓ２７以降＞
解像度の変化がＯＫであれば、＜Ｓ２３＞に遷移し、最適な信号フォーマットとして、
Format_Best=1366x768@85Hz
を決定。もし、解像度変化がＮＧであれば、＜Ｓ２８＞に遷移し、最適な信号フォーマットとして、Format_Best=1400x1050@60Hz  
を決定し、信号フォーマットを変更しない。
【００６９】
以上の図８及び図９の具体例では、バッテリ残量が低下したときには、極力解像度を変更しない(フレームレートを優先的に下げる)ような処理を行い、更に低下したときにはユーザーに勧告および了解を得てから解像度を変更する、という方法を説明した。
【００７０】
以上、本発明の好ましい実施形態について説明したが、本発明はこれらの実施形態に限定されず、その要旨の範囲内で種々の変形及び変更が可能である。
【符号の説明】
【００７１】
１：プロジェクタ、１１：入力信号フォーマット検出部、１２：映像信号処理部、１３：パネルドライバ、１４：ＬＥＤ光源、１５：信号フォーマット消費電力対応リスト、１６：バッテリ残量検出部、１７：バッテリ、１８：電源回路、１９：マイコン、２０：表示パネル、３０：セレクタ、３１：ＲＯＭ
【図１】
2015145889.tif 000003
【図２】
2015145889.tif 000004
【図３】
2015145889.tif 000005
【図４】
2015145889.tif 000006
【図５】
2015145889.tif 000007
【図６】
2015145889.tif 000008
【図７】
2015145889.tif 000009
【図８】
2015145889.tif 000010
【図９】
2015145889.tif 000011